(57)【要約】【課題】省電力化を図ることができるイオン発生装置を提供する。【解決手段】イオン発生装置１００は、イオン発生部１５と、吹出口４０と、送風ファン３と、バッテリ７と、切替装置１３と、制御装置６０とを備える。バッテリ７は、イオン発生部１５および送風ファン３に電力を供給する。切替装置１３は、第１の運転モードと、第２の運転モードとを切り替える。第１の運転モードでは、イオン発生部１５が駆動され、送風のための電力は、バッテリ７から送風ファン３へ供給される。第２の運転モードでは、イオン発生部１５が駆動され、バッテリ７から送風ファン３への電力の供給が停止される。制御装置６０は、切替装置１３を制御する。【選択図】図２
2014007125.tif 000002
【特許請求の範囲】
【請求項１】
放電によって帯電粒子を発生する帯電粒子発生部と、
前記帯電粒子を外部に吹き出すための吹出口と、
前記帯電粒子を前記吹出口に向けて搬送するための送風機と、
前記帯電粒子発生部および前記送風機に電力を供給する蓄電装置と、
前記帯電粒子発生部を駆動し、送風のための電力を前記蓄電装置から前記送風機へ供給する第１の運転モードと、前記帯電粒子発生部を駆動し、前記蓄電装置から前記送風機への電力の供給を停止する第２の運転モードとを切り替えるための切替装置と、
前記切替装置を制御する制御装置とを備える、帯電粒子発生装置。
【請求項２】
利用者の操作を入力するための入力部をさらに備え、
前記制御装置は、前記入力部からの入力に基づいて、前記第１の運転モードと前記第２の運転モードとを切り替えるように前記切替装置を制御する、請求項１に記載の帯電粒子発生装置。
【請求項３】
前記制御装置は、前記第１の運転モードが所定時間継続したときに、前記第２の運転モードへ切り替えるように前記切替装置を制御する、請求項１または請求項２に記載の帯電粒子発生装置。
【請求項４】
前記制御装置は、前記第１の運転モードと前記第２の運転モードとを交互に切り替えるように前記切替装置を制御する、請求項１または請求項２に記載の帯電粒子発生装置。
【請求項５】
外部電源に接続され、前記外部電源からの電力を受ける受電部をさらに備え、
前記制御装置は、前記受電部によって前記外部電源から電力を受けているときに、前記第１の運転モードへ切り替えるように前記切替装置を制御する、請求項１〜４のいずれか１項に記載の帯電粒子発生装置。
【請求項６】
前記制御装置は、前記蓄電装置の充電状態を示す状態量が所定値よりも低下したときに、前記第２の運転モードへ切り替えるように前記切替装置を制御する、請求項１〜５のいずれか１項に記載の帯電粒子発生装置。
【請求項７】
前記帯電粒子発生部は、針状の放電電極を含み、
前記針状の放電電極は、前記帯電粒子を外部に吹き出す方向に沿って伸びる、請求項１〜６のいずれか１項に記載の帯電粒子発生装置。
【請求項８】
前記送風機は、前記蓄電装置から供給される電力が大きいほど風量が大きくなる、請求項１〜７のいずれか１項に記載の帯電粒子発生装置。
【発明の詳細な説明】
【技術分野】
【０００１】
この発明は、帯電粒子発生装置に関し、特に、蓄電装置を有する帯電粒子発生装置に関する。
【背景技術】
【０００２】
イオン発生装置が放電によって発生したイオンを外部の空間へ拡散する方法が知られている。
【０００３】
たとえば、特開２０１１−２２６３４８号公報（特許文献１）は、イオンを発生する携帯型送風装置を開示している。この携帯型送風装置では、外気は、送風ファンの駆動によって吸込口から空気通路に流入し、吹出口から排出される。この空気通路には、イオンを発生するイオン発生装置が設けられている。このため、発生したイオンは、送風ファンが発生する風によって遠方かつ広範囲に拡散され、単位体積当たりのイオン濃度を上昇させることができる（特許文献１参照）。
【０００４】
特開２００９−１９５７４０号公報（特許文献２）は、マイナスイオンを放出する空気清浄活性器を開示している。この空気清浄活性器は、マイナスイオンの発生によって生成される電子風を利用しマイナスイオンを拡散し、電子風の方向がイオン放出口となる真下方向に向くように天井に設置される。これにより、送風ファンを用いることなくマイナスイオンを拡散することができる（特許文献２参照）。
【先行技術文献】
【特許文献】
【０００５】
【特許文献１】特開２０１１−２２６３４８号公報
【特許文献２】特開２００９−１９５７４０号公報
【発明の概要】
【発明が解決しようとする課題】
【０００６】
上記特許文献１に記載の携帯型送風装置は、イオンなどの帯電粒子を発生するための電力および送風ファンなどの送風機を駆動するための電力を供給するための蓄電装置を備える。蓄電装置の供給可能電力量は、送風機による電力消費によって低下する。これにより、帯電粒子を発生するための電力量が減少するため、帯電粒子を発生することができる時間が短くなる。
【０００７】
一方、上記特許文献２に記載の空気清浄活性器では、送風機による電力消費は発生しないものの、電子風のみを用いるので帯電粒子を遠方かつ広範囲に拡散することができない場合がある。
【０００８】
本発明は、このような課題を解決するためになされたものであって、その目的は、省電力化を図ることができる帯電粒子発生装置を提供することである。
【課題を解決するための手段】
【０００９】
この発明によれば、帯電粒子発生装置は、帯電粒子発生部と、吹出口と、送風機と、蓄電装置と、切替装置と、制御装置とを備える。帯電粒子発生部は、放電によって帯電粒子を発生する。吹出口は、帯電粒子を外部に吹き出すための吹出口である。送風機は、帯電粒子を吹出口に向けて搬送するための送風機である。蓄電装置は、帯電粒子発生部および送風機に電力を供給する。切替装置は、第１の運転モードと、第２の運転モードとを切り替える。第１の運転モードでは、帯電粒子発生部が駆動され、送風のための電力は、蓄電装置から送風機へ供給される。第２の運転モードでは、帯電粒子発生部が駆動され、蓄電装置から送風機への電力の供給が停止される。制御装置は、切替装置を制御する。
【００１０】
好ましくは、帯電粒子発生装置は、入力部をさらに備える。入力部は、利用者の操作を入力するための入力部である。制御装置は、入力部からの入力に基づいて、第１の運転モードと第２の運転モードとを切り替えるように切替装置を制御する。
【００１１】
好ましくは、制御装置は、第１の運転モードが所定時間継続したときに、第２の運転モードへ切り替えるように切替装置を制御する。
【００１２】
好ましくは、制御装置は、第１の運転モードと第２の運転モードとを交互に切り替えるように切替装置を制御する。
【００１３】
好ましくは、帯電粒子発生装置は、受電部をさらに備える。受電部は、外部電源に接続される。受電部は、外部電源からの電力を受ける。制御装置は、受電部によって外部電源から電力を受けているときに、第１の運転モードへ切り替えるように切替装置を制御する。
【００１４】
好ましくは、制御装置は、蓄電装置の充電状態を示す状態量が所定値よりも低下したときに、第２の運転モードへ切り替えるように切替装置を制御する。
【００１５】
好ましくは、帯電粒子発生部は、針状の放電電極を含む。針状の放電電極は、帯電粒子を外部に吹き出す方向に沿って伸びる。
【００１６】
好ましくは、送風機は、蓄電装置から供給される電力が大きいほど風量が大きくなる。
【発明の効果】
【００１７】
この発明においては、切替装置によって、第１の運転モードと、第２の運転モードとを切り替えることができる。第２の運転モードでは、蓄電装置から送風機への電力の供給が停止される。これにより、第２の運転モードでは、第１の運転モードよりも送風機の消費電力を抑制することができる。したがって、この発明によれば、省電力化を図ることができる帯電粒子発生装置を提供することができる。
【図面の簡単な説明】
【００１８】
【図１】この発明の実施の形態１によるイオン発生装置の分解斜視図である。
【図２】図１に示すイオン発生素子の斜視図である。
【図３】図１に示すイオン発生装置の構成を示すブロック図である。
【図４】この発明の実施の形態２によるイオン発生装置の構成を示すブロック図である。
【図５】この発明の実施の形態３によるイオン発生装置の構成を示すブロック図である。
【図６】この発明の実施の形態４によるイオン発生装置の構成を示すブロック図である。
【発明を実施するための形態】
【００１９】
以下、本発明の実施の形態について、図面を参照しながら詳細に説明する。なお、図中同一または相当部分には同一符号を付してその説明は繰返さない。
【００２０】
［実施の形態１］
図１は、この発明の実施の形態１によるイオン発生装置の分解斜視図である。図１を参照して、イオン発生装置１００は、ケース１と、送風ファン３と、バッテリ７と、スイッチ８と、外部端子９と、イオン発生素子２０とを備える。
【００２１】
ケース１は、上側ケース１ａと、下側ケース１ｂとを含む。上側ケース１ａおよび下側ケース１ｂは、一体となって平面視略矩形の薄箱状のケース１を構成する。ケース１は、送風ファン３と、バッテリ７と、スイッチ８と、外部端子９と、イオン発生素子２０とを収容する。ケース１の幅方向（Ｙ方向）に垂直な側面１ｃには、外部の空気をケース１内に吸い込むための吸込口３０が形成される。ケース１の長手方向（Ｘ方向）の一方端１ｄには、ケース内の空気を外部に吹き出すための吹出口４０が形成される。ケース１の内部には、吸込口３０と吹出口４０とを連通する空気通路が形成される。
【００２２】
送風ファン３は、開口３ａから吸込んだ空気を開口３ｂから吹き出すことによって、上記空気通路を流れる空気流を発生する。開口３ａは、送風ファン３の厚み方向（Ｚ方向）に垂直な面に設けられる。開口３ｂは、送風ファン３の吹出口４０に向いた面に設けられ、基板１１と上側ケース１ａの内表面との間の空間に空気を放出する。送風ファン３は、たとえば、遠心ファンやプロペラファンを含んで構成される。送風ファン３は、バッテリ７または外部端子９に接続される外部電源からの電力を用いて作動する。送風ファン３の作動によって、外部の空気は、吸込口３０からケース１の内部に導入され、空気通路を通過した後、吹出口４０から外部へ排出される。送風ファン３は、供給される電力が大きいほど風量が大きくなる。
【００２３】
バッテリ７は、直流電源であり、たとえば、ニッケル水素電池やリチウムイオン電池などの二次電池を含んで構成される。バッテリ７は、送風ファン３およびイオン発生素子２０に直流電力を供給する。バッテリ７は、外部端子９に接続された外部電源からの電力を用いて充電される。バッテリ７の電圧は、数Ｖ程度である。
【００２４】
スイッチ８は、利用者の操作を入力するためのスイッチである。利用者は、スイッチ８を操作することによって、イオン発生装置１００の運転モードを切り替えることができる。具体的には、利用者は、スイッチ８を操作することによって、イオン発生装置１００の作動および停止を切り替える。さらに、利用者は、スイッチ８を操作することによって、イオン発生装置１００が作動する場合において、送風ファン３の作動および停止を切り替える。
【００２５】
外部端子９は、外部電源に接続される。イオン発生装置１００は、外部端子９を介して外部電源から電力を受ける。外部電源から受けた電力は、送風ファン３、イオン発生素子２０またはバッテリ７に供給される。外部電源としては、ＡＣ電源やＡＣ／ＤＣアダプタなどを用いることができる。イオン発生装置１００は、外部端子９を介して外部機器と通信可能に構成されていてもよい。
【００２６】
図２は、図１に示すイオン発生素子２０の斜視図である。図１および図２を参照して、イオン発生素子２０は、基板１１と、基板１１上に配置されたイオン発生制御部１０およびイオン発生部１５とを含む。
【００２７】
イオン発生制御部１０は、イオン発生部１５での放電を制御するためのものであり、たとえば、パルス発生回路、コンデンサ、ＦＥＴ(Field  Effect  Transistor)などを含んで構成される。イオン発生制御部１０は、バッテリ７と、イオン発生部１５との間に接続される。イオン発生制御部１０は、バッテリ７の電圧を１０〜２０Ｖに昇圧してイオン発生部１５に出力する。また、イオン発生制御部１０は、イオン発生部１５の放電制御のためのパルス信号を生成し、イオン発生部１５へ出力する。
【００２８】
イオン発生部１５は、高電圧発生部６と、正側整流素子５ａと、負側整流素子５ｂと、正イオン放電部４ａと、負イオン放電部４ｂとを有する。
【００２９】
高電圧発生部６は、イオン発生制御部１０から入力された信号に基づいて、２〜１０ｋＶの正負の高電圧を生成する。高電圧発生部６は、たとえば、トランスを含んで構成される。
【００３０】
正側整流素子５ａは、高電圧発生部６と正イオン放電部４ａとの間に接続され、高電圧発生部６によって生成された正負の高電圧のうち正の高電圧のみを正イオン放電部４ａへ通過させる。負側整流素子５ｂは、高電圧発生部６と負イオン放電部４ｂとの間に接続され、高電圧発生部６によって生成された正負の高電圧のうち負の高電圧のみを負イオン放電部４ｂへ通過させる。正側整流素子５ａおよび負側整流素子５ｂは、たとえば、ダイオードを含んで構成される。
【００３１】
正イオン放電部４ａおよび負イオン放電部４ｂは、放電によってイオンを発生するための部分であり、先端が鋭利な針形状を有している。正イオン放電部４ａおよび負イオン放電部４ｂは、高耐熱、高耐食性を有する金属であり、たとえば、インコネルで作られる。正イオン放電部４ａの針形状の一方端（先端）は空気中に露出し、正イオン放電部４ａの他方端は正側整流素子５ａに接続されている。負イオン放電部４ｂの針形状の一方端（先端）は空気中に露出し、負イオン放電部４ｂの他方端は負側整流素子５ｂに接続されている。
【００３２】
正イオン放電部４ａおよび負イオン放電部４ｂは、発生したイオンを外部に吹き出す方向に沿って先端が吹出口４０の向きに伸びる。正イオン放電部４ａおよび負イオン放電部４ｂは、放電によってイオンを発生するときに、正イオン放電部４ａおよび負イオン放電部４ｂの先端から吹出口４０に向けて流れる電子風を発生する。すなわち、正イオン放電部４ａおよび負イオン放電部４ｂが発生する電子風が流れる方向は、吹出口４０から空気が吹き出す方向を示す矢印Ａと同じ方向である。
【００３３】
正イオン放電部４ａおよび負イオン放電部４ｂにおいてイオンが発生する原理を説明する。正イオン放電部４ａは、正の電圧を有する直流パルス電圧が供給される。負イオン放電部４ｂは、負の電圧を有する直流パルス電圧が供給される。正イオン放電部４ａと接地電極との間に発生するコロナ放電によって、正イオン放電部４ａおよび接地電極付近の空気が正イオン化する。電離によって発生した正イオンは、空気中の水分と結合して、主としてＨ+（Ｈ2Ｏ）ｍ（ｍは任意の自然数である。）を含んで構成される電荷が正のクラスタイオンを形成する。負イオン放電部４ｂと接地電極との間に発生するコロナ放電によって、負イオン放電部４ｂおよび接地電極付近の空気が負イオン化する。電離によって発生した負イオンは、空気中の水分と結合して、主としてＯ2-（Ｈ2Ｏ）ｎ（ｎは零または任意の自然数である。）を含んで構成される電荷が負のクラスタイオンを形成する。なお、発生するイオンの量（濃度）は、正イオン放電部４ａおよび負イオン放電部４ｂに印加される電圧、パルス周期によって調整される。なお、負イオンのみを発生するように放電部を構成してもよい。
【００３４】
基板１１は送風ファン３と吹出口４０との間に設けられ、基板１１の表面に沿って空気通路が形成される。１枚の基板上にイオン発生制御部１０およびイオン発生部１５が設けられることによって、基板の枚数を削減して、コストダウンができる。なお、基板１１にイオン発生部１５が設けられ、他の基板にイオン発生制御部１０が設けられる構成を採用してもよい。基板１１には、少なくとも正イオン放電部４ａおよび負イオン放電部４ｂが設けられることが好ましい。また、基板１１には、イオン発生部１５が設けられることがより好ましい。このように基板１１上に高電圧が印加される部品を設けることによって、意図しない放電による消費電力の増加や周辺物の破損を防止することができる。
【００３５】
なお、イオン発生素子２０は、イオン発生部１５などの高電圧が印加される部分を覆うように絶縁ケースが設けられてもよい。絶縁ケースの内部は、絶縁強度が高い材料で充填される。絶縁強度が高い材料としては、たとえば、エポキシが用いられる。このように絶縁ケースを設けることによって、高電圧が印加される部分での意図しない放電を防止することができる。
【００３６】
以上の構成において、送風ファン３が作動すると、吸込口３０から基板１１と上側ケース１ａとの間に形成された空気通路を通過して吹出口４０へ流れる空気流が発生する。このとき、正イオン放電部４ａおよび負イオン放電部４ｂで発生したイオンは、空気流および電子風によって、ケース１の外部に放出され、ケース１の周囲に拡散される。
【００３７】
利用者がイオン発生装置１００を携帯して使用する場合がある。この場合、イオン発生装置１００は、バッテリ７の電力を使用する。
【００３８】
しかしながら、外部端子９に外部電源が接続されておらずバッテリ７の電力のみを使用する場合、送風ファン３の作動によってバッテリ７の電力が消費されるため、イオン発生装置１００の稼働時間が短くなってしまう場合がある。
【００３９】
一方、送風ファン３が設けられない場合は、バッテリ７の電力消費は抑えられるものの、イオン発生装置１００の遠方かつ広範囲にイオンを拡散させることができない場合がある。
【００４０】
そこで、本実施の形態においては、送風ファン３を作動させた状態でイオンを放出する運転モード（第１の運転モード）と、送風ファン３を停止させた状態でイオンを放出する運転モード（第２の運転モード）とを切り替えるような制御を実行する。第１の運転モードでは、送風ファン３によってイオンを広範囲に拡散することができる。一方、第２の運転モードでは、送風ファン３の消費電力を抑制することができる。そのため、運転モードを切り替えることによって、イオン発生装置１００の省電力化を図ることが可能になる。
【００４１】
図３は、図１に示すイオン発生装置１００の構成を示すブロック図である。図３を参照して、イオン発生装置１００は、図１で説明したバッテリ７、スイッチ８およびイオン発生素子２０に加えて、送風装置２３と、制御装置６０とをさらに備える。送風装置２３は、送風ファン３と、切替装置１３とを含む。
【００４２】
バッテリ７は、イオン発生素子２０および送風装置２３へ電力を供給する。イオン発生素子２０は、バッテリ７から電力を受けて、放電によってイオンを発生する。
【００４３】
制御装置６０は、スイッチ８から受けた信号に基づいて、送風ファン３の運転モードを制御する。具体的には、利用者がスイッチ８を操作することによって第１の運転モードを選択した場合は、制御装置６０は、送風ファン３を作動させるための信号を切替装置１３へ送信する。一方、利用者がスイッチ８を操作することによって第２の運転モードを選択した場合は、制御装置６０は、送風ファン３を停止するための信号を切替装置１３へ送信する。
【００４４】
切替装置１３は、制御装置６０から受けた信号に基づいて、バッテリ７から送風ファン３への電力の供給と停止とを切り替える。具体的には、制御装置６０から送風ファン３を作動させる信号を受けた場合は、切替装置１３は、バッテリ７から送風ファン３へ電力を供給する。一方、制御装置６０から送風ファン３を停止する信号を受けた場合は、切替装置１３は、バッテリ７から送風ファン３への電力の供給を停止する。
【００４５】
このように、利用者は、スイッチ８を操作することによって、送風ファン３の作動と停止とを切り替えることができる。
【００４６】
なお、第２の運転モードが送風ファン３を停止する場合を説明したが、本発明はこれに限定されない。第２の運転モードは、送風ファン３が第１の運転モードよりも低い電力を受けて作動する運転モードであってもよい。
【００４７】
以上のように、この実施の形態１においては、利用者の操作に基づいて切替装置１３によって、第１の運転モードと、第２の運転モードとを切り替えることができる。第２の運転モードでは、バッテリ７から送風ファン３への電力の供給が停止される。これにより、第２の運転モードでは、第１の運転モードよりも送風ファン３の消費電力を抑制することができる。したがって、この実施の形態１によれば、利用者の意図に沿って省電力化を図ることができる。
【００４８】
利用者は、スイッチ８を用いて、送風ファン３を停止して省電力化を優先するか、送風ファン３を作動させてイオンの拡散を優先するかを状況に応じて選択することができる。したがって、利用者の利便性を向上することができる。
【００４９】
イオン発生部１５がイオンを発生するときに生じる電子風の方向が、イオンを外部に吹き出す方向と一致しているので、送風ファン３を停止する場合においても、電子風によってイオンを吹出口４０から外部へ放出することができる。したがって、利用者は、送風ファン３の作動および停止によらず、イオン発生装置１００を利用することができる。
【００５０】
［実施の形態２］
実施の形態１では、利用者の操作に基づいて、第１の運転モードと第２の運転モードとの切替を行う場合を説明した。これに対し、実施の形態２では、利用者の操作によらず自動的に、第１の運転モードと第２の運転モードとの切替を行う場合を説明する。具体的には、実施の形態２は、実施の形態１と比較して、制御装置が時間に基づいて送風ファン３の運転モードを切り替える点が異なる。
【００５１】
図４は、この発明の実施の形態２によるイオン発生装置１００ａの構成を示すブロック図である。図４を参照して、イオン発生装置１００ａは、図３に示すスイッチ８および制御装置６０に代えて、制御装置６０ａを備える。
【００５２】
制御装置６０ａは、時間を計測するためのタイマを含む。まず、制御装置６０ａは、イオン発生装置１００ａの運転が開始されると、運転モードを第１の運転モードに設定し、タイマによる時間の計測を開始する。そして、制御装置６０ａは、第１の運転モードの作動時間が所定時間継続したか否かを判定する。制御装置６０ａは、第１の運転モードの作動時間が所定時間継続したと判定した場合、運転モードを第２の運転モードへ切り替えるように切替装置１３を制御する。
【００５３】
以上のように、この実施の形態２においては、制御装置６０ａは、第１の運転モードが所定時間継続したときに、第２の運転モードへ切り替えるように切替装置１３を制御する。これにより、制御装置６０ａは、利用者の操作によらず運転モードを自動的に切り替えることができる。したがって、イオン発生装置１００ａの使用開始時におけるイオンの拡散を速やかに行なった後に、自動的に省電力化を図ることができる。
【００５４】
また、制御装置６０ａは、第１の運転モードと第２の運転モードとを交互に切り替えるように切替装置１３を制御してもよい。このように制御することによって、イオンの拡散の促進と省電力化とを自動的に繰り返すことができる。
【００５５】
［実施の形態３］
実施の形態１では、イオン発生装置がバッテリからの電力のみによって作動する場合を説明した。これに対し、実施の形態３では、イオン発生装置が外部電源に接続される場合を説明する。イオン発生装置に外部電源から電力が供給される場合は、省電力化のために送風ファンを停止する必要がない。このため、外部電源からの電力供給の有無によって運転モードを切り替える。具体的には、実施の形態３は、実施の形態１と比較して、制御装置が外部電源から電力が供給されているか否かに基づいて送風ファンの運転モードを切り替える点が異なる。
【００５６】
図５は、この発明の実施の形態３によるイオン発生装置１００ｂの構成を示すブロック図である。図５を参照して、イオン発生装置１００ｂは、図３に示すスイッチ８および制御装置６０に代えて、外部端子９と、電源切替装置５０と、制御装置６０ｂとを備える。
【００５７】
外部端子９には、コネクタ１９が接続され、外部電源２９からの電力が供給される。
電源切替装置５０は、バッテリ７および外部端子９へ接続される。電源切替装置５０は、外部電源２９から外部端子９への電力供給に基づいて、イオン発生素子２０および送風装置２３への電力の供給経路を切り替える。具体的には、外部電源２９から外部端子９へ電力が供給される場合は、電源切替装置５０は、外部電源２９の電力をイオン発生素子２０および送風装置２３へ供給する経路（第１の経路）に切り替える。一方、外部電源２９から外部端子９へ電力が供給されない場合は、電源切替装置５０は、バッテリ７の電力をイオン発生素子２０および送風装置２３へ供給する経路（第２の経路）に切り替える。電源切替装置５０は、イオン発生素子２０および送風装置２３への電力の供給経路を示す信号を制御装置６０ｂへ送信する。
【００５８】
制御装置６０ｂは、電源切替装置５０から受けた信号に基づいて、送風ファン３の運転モードを制御する。具体的には、第１の経路が選択されている場合は、制御装置６０ｂは、送風ファン３を作動させるための信号を切替装置１３へ送信する。一方、第２の経路が選択されている場合は、制御装置６０ｂは、送風ファン３を停止するための信号を切替装置１３へ送信する。
【００５９】
以上のように、この実施の形態３においては、イオン発生装置１００ｂは、電力供給経路に応じて、送風ファン３の作動と停止とを切り替える。これにより、イオン発生装置１００ｂがバッテリ７からの電力のみを使用するときに、自動的に省電力化を図ることができる。
【００６０】
［実施の形態４］
実施の形態１では、利用者の操作に基づいて、第１の運転モードと第２の運転モードとの切替を行う場合を説明した。これに対し、実施の形態４では、バッテリの状態に応じて自動的に、第１の運転モードと第２の運転モードとの切替を行う場合を説明する。バッテリの状態に応じて運転モードを切り替えることによって、イオン発生装置の利用時間を延長することができる。具体的には、実施の形態４は、実施の形態１と比較して、制御装置がバッテリの充電状態に基づいて送風ファンの運転モードを切り替える点が異なる。
【００６１】
図６は、この発明の実施の形態４によるイオン発生装置１００ｃの構成を示すブロック図である。図６を参照して、イオン発生装置１００ｃは、図３に示すスイッチ８および制御装置６０に代えて、制御装置６０ｃを備える。
【００６２】
制御装置６０ｃは、バッテリ７からバッテリ７の充電状態を示す信号ＳＯＣ（State  Of  Charge）を受信する。なお、ＳＯＣは、バッテリ７の電圧および入出力電流などに基づいて、種々の公知の手法を用いて算出される。
【００６３】
制御装置６０ｃは、バッテリ７から受けたＳＯＣに基づいて、送風ファン３の運転モードを制御する。具体的には、バッテリ７のＳＯＣが所定値よりも大きいときは、制御装置６０ｃは、送風ファン３を作動させるための信号を切替装置１３へ送信する。一方、バッテリ７のＳＯＣが所定値よりも低下したときは、制御装置６０ｃは、送風ファン３を停止するための信号を切替装置１３へ送信する。
【００６４】
以上のように、この実施の形態４においては、制御装置６０ｃは、バッテリ７のＳＯＣが所定値よりも低下したときは、送風ファン３を停止して消費電力を低減する。これにより、バッテリ７のＳＯＣに応じて、自動的に省電力化を優先して利用時間を延長することができる。
【００６５】
上記の実施の形態では、本発明に係る帯電粒子発生装置の例として空気中の水分と結合したイオンを発生させるイオン発生装置について説明したが、本発明において発生させる帯電粒子は、たとえば、静電霧化装置によって生成されるラジカル成分を含む帯電微粒子水等も含む。具体的には、静電霧化装置においては、放電電極をペルチェ素子によって冷却するなどの方法で放電電極の表面に結露水を生じさせ、放電電極にマイナスの高電圧を印加することによって、結露水から帯電微粒子水が生成される。
【００６６】
なお、上記の実施の形態では、内蔵電源としてバッテリ７を用いて説明したが、バッテリ７に代えて、キャパシタを用いてもよい。
【００６７】
以上のように本発明の実施の形態について説明を行なったが、各実施の形態の構成を適宜組合せてもよい。
【００６８】
なお、上記において、イオン発生装置１００は、この発明における「帯電粒子発生装置」の一実施例に対応し、イオンは、この発明における「帯電粒子」の一実施例に対応する。また、イオン発生部１５は、この発明における「帯電粒子発生部」の一実施例に対応し、送風ファン３は、この発明における「送風機」の一実施例に対応する。また、バッテリ７は、この発明における「蓄電装置」の一実施例に対応し、スイッチ８は、この発明における「入力部」の一実施例に対応する。また、外部端子９は、この発明における「受電部」の一実施例に対応し、正イオン放電部４ａおよび負イオン放電部４ｂは、この発明における「放電電極」の一実施例に対応する。
【００６９】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００７０】
１  ケース、３  送風ファン、４ａ  正イオン放電部、４ｂ  負イオン放電部、７  バッテリ、８  スイッチ、９  外部端子、１０  イオン発生制御部、１１  基板、１３  切替装置、１５  イオン発生部、２０  イオン発生素子、２３  送風装置、２９  外部電源、３０  吸込口、４０  吹出口、５０  電源切替装置、６０  制御装置、１００  イオン発生装置。 
【図１】
2014007125.tif 000003
【図２】
2014007125.tif 000004
【図３】
2014007125.tif 000005
【図４】
2014007125.tif 000006
【図５】
2014007125.tif 000007
【図６】
2014007125.tif 000008